【手続補正書】
【提出日】平成25年11月1日(2013.11.1)
【手続補正１】
【補正対象書類名】特許請求の範囲
【補正対象項目名】全文
【補正方法】変更
【補正の内容】
【特許請求の範囲】
【請求項１】
対向するバックプレートとシールプレートの間に内蔵された開閉シリンダーによりシールユニットが作動し、バルブケーシングの開口部を開閉するゲートバルブにおいて、
開動作圧と閉動作圧により伸縮するピストンロッドを覆うベローズの保護構造として、上記シールユニットはロッド部を備える開閉シリンダーと、
上記開閉シリンダーが固定され、開閉のための開動作圧と閉動作圧を導通する供給排出路を備えたバックプレートと、
上記開閉シリンダーのロッド部に結合されたシールプレートとで構成され、
上記開閉シリンダーには上記ベローズの内圧又は外圧を感知する逆止弁が備わって、
上記ベローズに加えられる内圧又は外圧が基準圧力を超過すれば、ベローズの内圧又は外圧を上記逆止弁を通じてシールユニット外部へ排出させることを特徴とするゲートバルブのベローズ保護構造。
【請求項２】
請求項１に記載のゲートバルブのベローズ保護構造において、
ピストンが凹形状をしており、
上記ピストンの外径にシール部材を備え、
上記凹形状の中央にピストンロッドを備え、
上記ピストンロッドを覆うベローズの内径側がバルブケーシングと導通してなることを特徴とするゲートバルブのベローズ保護構造。
【請求項３】
請求項２に記載のゲートバルブのベローズ保護構造において、
上記ピストンロッドを覆うベローズが開閉シリンダーに内包されたことを特徴とするゲートバルブのベローズ保護構造。
【請求項４】
請求項１に記載のゲートバルブのベローズ保護構造において、
上記逆止弁は、一方が固定端として設置される弾性部材および、上記弾性部材の自由端にゲート部材が結合され、
上記受圧口がゲート部材により塞がれて、
受圧口について導通されるベローズの内圧が基準圧力を超過すれば、ゲート部材が後退し上記受圧口と排気口を連通させることを特徴とするゲートバルブのベローズ保護構造。
【請求項５】
請求項４に記載のゲートバルブのベローズ保護構造において、
上記排気口は閉動作圧排出口を通じてベローズの内圧を排気させることを特徴とするゲートバルブのベローズ保護構造。
【請求項６】
請求項４に記載のゲートバルブのベローズ保護構造において、
上記排気口は開動作圧排出口を通じてベローズの内圧を排気させることを特徴とするゲートバルブのベローズ保護構造。
【手続補正２】
【補正対象書類名】明細書
【補正対象項目名】００１１
【補正方法】変更
【補正の内容】
【００１１】
本発明は、対向するバックプレートとシールプレートの間に内蔵された開閉シリンダーによりシールユニットが作動し、バルブケーシングの開口部を開閉するゲートバルブにおいて、開動作圧と閉動作圧により伸縮するピストンロッドを覆うベローズの保護構造として、上記シールユニットはロッド部を備える開閉シリンダーと、上記開閉シリンダーが固定され、開閉のための開動作圧と閉動作圧を導通する供給排出路を備えたバックプレートと、上記開閉シリンダーのロッド部に結合されたシールプレートとで構成され、上記開閉シリンダーには上記ベローズの内圧又は外圧を感知する逆止弁が備わって、上記ベローズに加えられる内圧又は外圧が基準圧力を超過すれば、ベローズの内圧又は外圧を上記逆止弁を通じてシールユニット外部へ排出させることを特徴とするゲートバルブのベローズ保護構造を提供する。
【手続補正３】
【補正対象書類名】明細書
【補正対象項目名】００１２
【補正方法】変更
【補正の内容】
【００１２】
また、本発明のゲートバルブのベローズ保護構造において、ピストンの形状は特に限定されないが、例えば、ピストンが凹形状をしており、上記ピストンの外径にシール部材を備え、上記凹形状の中央にピストンロッドを備え、上記ピストンロッドを覆うベローズの内径側がバルブケーシングと導通してなる構造を採用することができる。また、このゲートバルブのベローズ保護構造において、上記ピストンロッドを覆うベローズが開閉シリンダーに内包されていてもよい。
【手続補正４】
【補正対象書類名】明細書
【補正対象項目名】００１３
【補正方法】変更
【補正の内容】
【００１３】
また、本発明は、上記ゲートバルブのベローズ保護構造において、上記逆止弁は、一方が固定端として設置される弾性部材および、上記弾性部材の自由端にゲート部材が結合され、上記受圧口がゲート部材により塞がれて、受圧口について導通されるベローズの内圧が基準圧力を超過すれば、ゲート部材が後退し上記受圧口と排気口を連通させることを特徴とする。
【手続補正５】
【補正対象書類名】明細書
【補正対象項目名】００１４
【補正方法】変更
【補正の内容】
【００１４】
また、本発明は、上記ゲートバルブのベローズ保護構造において、上記排気口は閉動作圧排出口を通じてベローズの内圧を排気させることを特徴とする。
【手続補正６】
【補正対象書類名】明細書
【補正対象項目名】００１５
【補正方法】変更
【補正の内容】
【００１５】
また、本発明は、上記ゲートバルブのベローズ保護構造において、上記排気口は開動作圧排出口を通じてベローズの内圧を排気させることを特徴とする。
【手続補正７】
【補正対象書類名】明細書
【補正対象項目名】００２３
【補正方法】変更
【補正の内容】
【００２３】
そして、このような昇降駆動部（２００）には別途のバルブロッド（図示無し）が空気圧供給路として軸方向へ平行に穴加工されて、これを通じて供給及び排気される空気圧によって所定の開口部を上記シールユニット（３００）が閉動作および開動作することができる。該当バルブロッドはシールユニット（３００）のバックプレート（３１０）に結合してバックプレート（３１０）の空気圧経路と連結される。
【手続補正８】
【補正対象書類名】明細書
【補正対象項目名】００３８
【補正方法】変更
【補正の内容】
【００３８】
これらを防止するために該当開閉シリンダー（３２０）の内部には開動作圧供給時、ベローズ（３２６）の内圧上昇を感知し基準圧を超過する内圧発生時、該当ベローズ（３２６）に加えられる内圧を排気し、解消する第１逆止弁（３２７）が備わる。
【手続補正９】
【補正対象書類名】明細書
【補正対象項目名】００３９
【補正方法】変更
【補正の内容】
【００３９】
同じように、該当開閉シリンダー（３２０）の内部には閉動作圧供給時、ベローズ（３２６）の内圧を感知し基準圧を超過する内圧上昇発生時、該当ベローズ（３２６）に加えられる内圧を排気させ解消する第２逆止弁（３２８）が備わる。
【手続補正１０】
【補正対象書類名】明細書
【補正対象項目名】００４３
【補正方法】変更
【補正の内容】
【００４３】
このような延長は上記ロッド部（３２３）に内蔵されることができる。また、上記本体部（３２７ｂ）は内部にスプリングの様な弾性部材（３２７ｄ）が一方を固定側として固定設置されて該当弾性部材（３２７ｄ）の自由側には上記受圧口（３２７ａ）を開閉できるゲート部材（３２７ｅ）が結合される。したがって、上記ゲート部材（３２７ｅ）は上記弾性部材（３２７ｄ）の弾性力によって平常時該当受圧口（３２７ａ）を防いでいて（図６の（ａ）参照），該当測定器に基準圧力（ＲＰ）を超過するベローズ（３２６）の内圧が引入れられれば該当空気圧に押されて受圧口（３２７ａ）を開放させることによって受圧口（３２７ａ）と排気口（３２７ｃ）を連通させ異常空気圧が排気口（３２７ｃ）を通じて排気（図６の（ｂ）参照）する構造である。
【手続補正１１】
【補正対象書類名】明細書
【補正対象項目名】００５１
【補正方法】変更
【補正の内容】
【００５１】
より具体的には第２逆止弁（３２８）の排気口（３２８ｃ）は開動作圧排出経路（３１２）によって排気されて開動作圧排出口（３１１）により外部へ排気されることになる。
【手続補正１２】
【補正対象書類名】図面
【補正対象項目名】図５
【補正方法】変更
【補正の内容】
【図５】
2013124773.tif 000001